(57)【要約】【課題】コストアップおよび器具効率の低下を招くことなく、パネル面のランプイメージを低減できる照明器具を提供することである。【解決手段】複数のＬＥＤ光源と、前記複数のＬＥＤ光源を収容する灯具と、を備え、前記灯具が、前記複数のＬＥＤ光源を囲うよう透光パネル部と縦枠部とが周方向で交互に配設された外周壁部を有する照明器具であって、前記ＬＥＤ光源の光軸に沿った照射方向が前記縦枠部の内側面に向くよう前記複数のＬＥＤ光源を前記外周壁部の内側で周方向に配設したことを特徴とする照明器具。【選択図】図１
2015008098.tif 000002
【特許請求の範囲】
【請求項１】
複数のＬＥＤ光源と、
前記複数のＬＥＤ光源を収容する灯具と、を備え、
前記灯具が、前記複数のＬＥＤ光源を囲うよう透光パネル部と縦枠部とが周方向で交互に配設された外周壁部を有する照明器具であって、
前記ＬＥＤ光源の光軸に沿った照射方向が前記縦枠部の内側面に向くよう前記複数のＬＥＤ光源を前記外周壁部の内側で周方向に配設したことを特徴とする照明器具。
【請求項２】
前記複数のＬＥＤ光源を前記外周壁部の内側で前記縦枠部に各々が相対応するよう周方向に配設したことを特徴とする請求項１記載の照明器具。
【請求項３】
前記透光パネル部を平板状として前記灯具を平面視多角形状に形成し、前記縦枠部を前記平面視多角形状の各角部位に配設したことを特徴とする請求項２記載の照明器具。
【請求項４】
前記縦枠部の内側面を反射面として形成したことを特徴とする請求項１〜３のいずれか一項記載の照明器具。
【発明の詳細な説明】
【技術分野】
【０００１】
本発明は、照明器具に関するものである。
【背景技術】
【０００２】
従来より、ＬＥＤ光源を用いた外灯が知られている（例えば、特許文献１参照）。
【０００３】
特許文献１に記載の防犯灯は、屋外に立設された電柱等の上部に取り付けられ、下方の路面等を照明するものであり、光源部と、この光源部を収納する防犯灯本体とを有する。
【０００４】
防犯灯には、光源部として、複数の少なくとも３つのＬＥＤユニットが取り付けられている。また、防犯灯本体における光源部の前方には、光透過性のグローブが取り付けられている。
【先行技術文献】
【特許文献】
【０００５】
【特許文献１】特開２０１２−１２９１６２号公報
【発明の概要】
【発明が解決しようとする課題】
【０００６】
しかしながら、前述した防犯灯は、ＬＥＤユニットやＬＥＤ光源が、グローブや透光性パネルに近接した位置において、透光性パネルに略垂直に照射するように設けられている。
【０００７】
このため、ＬＥＤ光源と透光性パネルとの間の距離が短く、透光性パネルにＬＥＤ光源のイメージが強く表れるという問題があった。
【０００８】
また、この問題を解決するために、従来よりＬＥＤ光源とパネル等との間に拡散性のパネルを設けることが行われているが、この場合には、コストアップおよび器具効率の低下を招くという問題がある。
【０００９】
本発明は、従来の問題を解決するためになされたもので、コストアップおよび器具効率の低下を招くことなく、パネル面のランプイメージを低減できる照明器具を提供することを目的とする。
【課題を解決するための手段】
【００１０】
本発明の照明器具は、複数のＬＥＤ光源と、前記複数のＬＥＤ光源を収容する灯具と、を備え、前記灯具が、前記複数のＬＥＤ光源を囲うよう透光性パネル部と縦枠部とが周方向で交互に配設された外周壁部を有する照明器具であって、前記ＬＥＤ光源の光軸に沿った照射方向が前記縦枠部の内側面に向くよう前記複数のＬＥＤ光源を前記外周壁部の内側で周方向に配設している。
【００１１】
また、本発明の照明器具は、前記複数のＬＥＤ光源を前記外周壁部の内側で前記縦枠部に各々が相対応するよう周方向に配設していてもよい。
【００１２】
また、本発明の照明器具は、前記透光パネル部を平板状として前記灯具を平面視多角形状に形成し、前記縦枠部を前記平面視多角形状の各角部位に配設していてもよい。
【００１３】
また、本発明の照明器具は、前記縦枠部の内側面を反射面として形成していてもよい。
【発明の効果】
【００１４】
本発明は、コストアップおよび器具効率の低下を招くことなく、透光性パネルにおけるランプイメージを低減できるという効果を有する照明器具を提供する。
【図面の簡単な説明】
【００１５】
【図１】本発明の実施形態に係る照明器具の全体図
【図２】本発明の実施形態に係る灯具の側面図
【図３】本発明の実施形態に係る灯具の上面図
【図４】本発明の実施形態に係る灯具形状のバリエーションを示す概略図
【発明を実施するための形態】
【００１６】
以下、本発明の実施形態について図１〜４を用いて説明する。
【００１７】
図１に示すように、本発明に係る実施形態の照明器具１０は、路面１１等を照明する外灯に好適であり、支柱５０の上部に設けられた灯具２０を有する。
【００１８】
また、図２には、本発明に係る灯具２０の断面図を示している。なお、図２は、灯具２０の側面の外観が視認できるように、右半分は灯具２０の断面図、左半分は灯具２０の側面図を表している。
【００１９】
図２に示す通り、灯具２０は、灯具２０の略中心付近に複数のＬＥＤ光源２５を有している。また、灯具２０は、上方が開口し、ＬＥＤ光源２５を囲うように側面に透光パネル部２２と縦枠部２４が周方向に交互に並ぶ筒状の外周壁部２７を有する灯具本体２１と、灯具本体２１の開口を覆う着脱可能な蓋部２３とを有する。
【００２０】
蓋部２３を取外し可能とすることで、ＬＥＤ光源２５の交換、また灯具本体２１の内部清掃が容易に行うことが可能である。このように蓋部２３を灯具本体２１から取り外した際に蓋部２３が落下しないように、落下防止ワイヤー２８が備えられている。
【００２１】
透光パネル部２２は、図２では平板形状であるが、平板に限られず曲面形状であってもよい。照明器具１０の美観設計に合わせて曲面もしくは平板形状のいずれかを選択することが可能である。
【００２２】
また、ＬＥＤ光源２５に電力を供給する電線４０は、路面１１から支柱５０の内部空間を通って灯具２０に配線され、ＬＥＤ光源２５に接続される。なお、ＬＥＤ光源２５を点灯させるための電源装置（図示せず）は、灯具本体２１の下部や、光源取付板２６の上部等に設けることができる。
【００２３】
また、灯具２０は、支柱５０から取外し可能な構造となっている。支柱５０と灯具２０はボルト６０によって固定されており、灯具２０と支柱５０は落下防止ワイヤー２８によって接続されており、万一、支柱５０から灯具２０が外れても灯具２０が路面１１に落下することは防ぐことが可能である。
【００２４】
続いて、ＬＥＤ光源２５の設置位置について説明する。図２に示す通り、ＬＥＤ光源２５は、灯具本体２１の開口に設けられている光源取付板２６に設置されている。また、図３に示す通り、設置方向に関しては、ＬＥＤ光源２５の光軸３０上に縦枠部２４がくるような方向に向けて設置されている。
【００２５】
ＬＥＤ光源２５の光軸３０上における照度が非常に強く、その照度が強い光軸３０上に縦枠部２４を設けることで、透光パネル部２２上にランプイメージを映し出さないようにすることが可能となる。
【００２６】
このように、ＬＥＤ光源２５の光軸をどこに向けるかに工夫を加えることによって、ＬＥＤ光源２５と透光パネル部２２との間に拡散パネル等を設ける必要がなくなり、器具効率の低下およびコストアップを防ぐことが可能となる。
【００２７】
また、ＬＥＤ光源２５は、斜め下方向に向けて光を照射している。斜め下方向に照射することによって、ＬＥＤ光源２５から透光パネル部２２までの光路を長く保つことが可能であり、より一層、透光パネル部２２の表面にランプイメージが映し出されないようにすることが可能となる。
【００２８】
また、本実施形態の灯具本体２１の形状は、図２および図３に示す四角形状のものに限られるものではない。たとえば、図４（ａ）〜（ｄ）に示すように、透光パネル部２２を平面視多角形状に形成することも可能である。
【００２９】
また、上記のように、透光パネル部２２を平面視多角形状に配置した際に、縦枠部２４を各角部位に設けることも可能である。縦枠部２４を各角部位に設けた際は、ＬＥＤ光源２５の光軸を平面視多角形状の各角部位に向けることで、上述と同じ効果を得ることが可能である。
【００３０】
さらに、上述している縦枠部２４の内側面を反射面とすることで、より照明効率のよい照明器具１０を提供することが可能である。反射面としては、内側面を白色で塗装するなど、また鏡面加工するなど様々な工法が考え得る。これら反射面の材質、工法に関しては、当業者であれば通常考え得るものであれば、何ら限定することなく用いることが可能である。
【符号の説明】
【００３１】
１０  照明器具
１１  路面
２０  灯具
２１  灯具本体
２２  透光パネル部
２３  蓋部
２４  縦枠部
２５  ＬＥＤ光源
２６  光源取付板
２７  外周壁部
２８  落下防止ワイヤー
３０  光軸
４０  電線
５０  支柱
６０  ボルト
【図１】
2015008098.tif 000003
【図２】
2015008098.tif 000004
【図３】
2015008098.tif 000005
【図４】
2015008098.tif 000006